(57)【要約】【課題】  集塵室のゴミを捨てる際の手間を大きく軽減でき等の集塵室内の除塵に伴う作業を容易に確実に行なうことができる電気掃除機を提供する。【解決手段】  集塵室３の内側にテフロン加工を施し、静電気による細塵の付着を抑える。図６にゴミ捨て時の集塵室の側面断面図を示す。集塵室内のゴミ１０を捨てるために蓋を開けると、集塵室３の内側にテフロン加工を施し、静電気による細塵の付着を抑えているので、ワンタッチでゴミ１０を捨てることができて、集塵室のゴミを捨てる際の手間を大きく軽減できる。【選択図】      図６
2005237860.tif 000002
【特許請求の範囲】
【請求項１】
本体ケース内に集塵部、電動送風機収納部を有し、集塵部に塵挨を吸引し分離室でゴミを分離し、集塵室にゴミを収納する電気掃除機において、ゴミ圧縮機能を有する集塵室内側にテフロン加工を施し、静電気による細塵の付着を抑えることで、集塵室のゴミをワンタッチで捨てることを可能としたことを特徴とする電気掃除機。
【請求項２】
本体ケース内に集塵部、電動送風機収納部を有し、集塵部に塵挨を吸引し分離室でゴミを分離し、集塵室にゴミを収納する電気掃除機において、ゴミ圧縮機能を有する集塵室を形成している樹脂部分の一部をゴムまたはエラストマーで形成し、集塵室の該ゴムまたはエラストマーの部分を押圧することにより、ゴミをワンタッチで捨てることを可能としたことを特徴とする電気掃除機。
【請求項３】
本体ケース内に集塵部、電動送風機収納部を有し、集塵部に塵挨を吸引し分離室でゴミを分離し、集塵室にゴミを収納する電気掃除機において、ゴミ圧縮機能を有する集塵室を形成している樹脂部分の一部をエラストマーで形成し、該エラストマーには引掛けることのできる形状の樹脂部品を一体物として形成し、掃除機本体に集塵部を装着する際、該樹脂部品を本体の一部に引掛け固定する機構からなり、集塵室の該エラストマーの部分を押圧することにより、ゴミをワンタッチで捨てることを可能としたことを特徴とする電気掃除機。
【請求項４】
本体ケース内に集塵部、電動送風機収納部を有し、集塵部に塵挨を吸引し分離室でゴミを分離し、集塵室にゴミを収納する電気掃除機において、集塵室内のフィルターを、集塵室の側面ゴミ捨て口いっぱいの面積を有するフィルターにて構成することを特徴とする電気掃除機。
【請求項５】
本体ケース内に集塵部、電動送風機収納部を有し、集塵部に塵挨を吸引し分離室でゴミを分離し、集塵室にゴミを収納する電気掃除機において、集塵室内のフィルターを、側面ゴミ捨て口一面のフィルターだけではなく、更に上下左右にもフィルターを配置し、フィルターの全面積を大きくしたことを特徴とする電気掃除機。
【請求項６】
本体ケース内に集塵部、電動送風機収納部を有し、集塵部に塵挨を吸引し分離室でゴミを分離し、集塵室にゴミを収納する電気掃除機において、集塵室からモーターへの流路にプリーツ状のプリーツフィルターを使用し、該プリーツフィルターにエラストマーなどの軟らかい材質のもので覆った形状とすることを特徴とする電気掃除機。
【請求項７】
前記プリーツフィルターに対向して除塵ブラシを接触可能に配置し、前記集塵室を着脱する際に、集塵室内のプリーツフィルターに接触した除塵ブラシを上下に運動させることでプリーツフィルタを除塵する機構とすることにより、自動除塵を可能としたことを特徴とする請求項６記載の電気掃除機。
【請求項８】
本体ケース内に集塵部、電動送風機収納部を有し、集塵部に塵挨を吸引し分離室でゴミを分離し、集塵室にゴミを収納する電気掃除機において、集塵室からモーターへの流路にプリーツ状のプリーツフィルターを使用し、該プリーツフィルターで構成している枠体が透明樹脂で形成されていることを特徴とする電気掃除機。
【請求項９】
本体ケース内に集塵部、電動送風機収納部を有し、集塵部に塵挨を吸引し分離室でゴミを分離し、集塵室にゴミを収納する電気掃除機において、集塵室からモーターへの流路にウレタンフィルターを使用し、該ウレタンフィルターで構成されている枠体を透明樹脂で形成し、該ウレタンフィルターが２色の２層または３色の３層で形成されていることを特徴とする電気掃除機。
【請求項１０】
本体ケース内に集塵部、電動送風機収納部を有し、集塵部に塵挨を吸引し分離室でゴミを分離し、集塵室にゴミを収納するする電気掃除機において、集塵室のゴミプレス用メッシュフィルターの一部が透明樹脂で形成されていることを特徴とする電気掃除機。
【発明の詳細な説明】
【技術分野】
【０００１】
本発明は集塵部の清掃を容易にする電気掃除機に関する。
【背景技術】
【０００２】
本体ケース内に集塵部、電動送風機収納部を有し、集塵部に塵挨を吸引分離する電気掃除機において、集塵部内でゴミの分離部と、ゴミを圧縮して溜める集塵室とが分かれて配置されているタイプの電気掃除機、所謂、サイクロン方式の電気掃除機は、従来のゴミを溜めるための紙パックが不必要であり、ゴミを溜めて捨てたいときに捨てることのできる簡便さから広く普及している。このようなサイクロン式の電気掃除機は一般的である（例えば、特許文献１を参照）。また、吸気部からの塵埃を遠心分離して分離し、集塵室に圧縮して収納するタイプのサイクロン方式の電気掃除機も公知である（例えば、特許文献２を参照）。
【特許文献１】特開２００３−２６００１３号公報
【特許文献２】特開２００３−５２５９０号公報
【発明の開示】
【発明が解決しようとする課題】
【０００３】
従来のサイクロン方式の電気掃除機のように、集塵部の集塵室内でゴミを圧縮する機構を付加している場合、その圧縮力によりゴミは集塵室に押し付けられるいるため、集塵室内のゴミを分離する際に容易に落下せず、集塵室からゴミを出す手間が増えた。また、集塵室内のフィルターの配置状態の如何では細塵の集塵効果が十分でなく、フィルターへの目詰まり状態の確認が不十分であると共に、フィルターの除塵を効率良く行なうことができない等、集塵室内の除塵に係わる作業が容易に行なえないという問題があった。
【０００４】
そこで本発明は、集塵室のゴミを捨てる際の手間を大きく軽減でき、フィルターへの目詰まり状態の確認を容易にし、かつ、フィルター目詰まりの除去を簡単に行なえる等の集塵室内の除塵に伴う作業を容易に確実に行なうことができる電気掃除機を提供することを目的とする。
【課題を解決するための手段】
【０００５】
上記課題を解決するために、本発明の請求項１に係る電気掃除機は、本体ケース内に集塵部、電動送風機収納部を有し、集塵部に塵挨を吸引し分離室でゴミを分離し、集塵室にゴミを収納する電気掃除機において、ゴミ圧縮機能を有する集塵室内側にテフロン加工を施し、静電気による細塵の付着を抑えることで、集塵室のゴミをワンタッチで捨てることを可能とするように構成した。
【０００６】
こうして、集塵室内のゴミを捨てるために蓋を開けると、集塵室の内側にテフロン加工を施し、静電気による細塵の付着を抑えているので、ワンタッチでゴミを捨てることができて、集塵室のゴミを捨てる際の手間を大きく軽減できる。
【０００７】
本発明の請求項２に係る電気掃除機は、本体ケース内に集塵部、電動送風機収納部を有し、集塵部に塵挨を吸引し分離室でゴミを分離し、集塵室にゴミを収納する電気掃除機において、ゴミ圧縮機能を有する集塵室を形成している樹脂部分の一部をゴムまたはエラストマーで形成し、集塵室の該ゴムまたはエラストマーの部分を押圧することにより、ゴミをワンタッチで捨てることを可能とするように構成した。
【０００８】
こうして、ゴムまたはエラストマー材を集塵室を形成している樹脂部分の一部に用いることにより、ゴミを捨てる際、集塵室を横向きにしてゴミ捨て口を下にし、ゴムまたはエラストマー材の部分を押すことで集塵室の内側に張り着いたゴミを落とすことができ、ワンタッチでゴミ捨てを行なうことができる。
【０００９】
本発明の請求項３に係る電気掃除機は、本体ケース内に集塵部、電動送風機収納部を有し、集塵部に塵挨を吸引し分離室でゴミを分離し、集塵室にゴミを収納する電気掃除機において、ゴミ圧縮機能を有する集塵室を形成している樹脂部分の一部をエラストマーで形成し、該エラストマーには引掛けることのできる形状の樹脂部品を一体物として形成し、掃除機本体に集塵部を装着する際、該樹脂部品を本体の一部に引掛け固定する機構からなり、集塵室の該エラストマーの部分を押圧することにより、ゴミをワンタッチで捨てることを可能とするように構成した。
【００１０】
こうして、集塵室一部のエラストマーと引掛けることのできる形状の樹脂部品を一体物とし、本体装着時にその樹脂部品を本体の一部に引掛け固定することで、運転時のエラストマーの変形を防止する。これにより、集塵容量を確保しつつ、ゴミ押し出し機構を付加することができる。
【００１１】
本発明の請求項４に係る電気掃除機は、本体ケース内に集塵部、電動送風機収納部を有し、集塵部に塵挨を吸引し分離室でゴミを分離し、集塵室にゴミを収納する電気掃除機において、集塵室内のフィルターを、集塵室の側面ゴミ捨て口いっぱいの面積を有するフィルターにて構成した。
【００１２】
こうして、電気掃除機の集塵部において、ダストボックス内のフィルターを、ダストボックスの側面ゴミ捨て口いっぱいの面積を有するフィルターにて構成することで、フィルター目詰まりを軽減し、ゴミを吸引し続けたときの仕事率の低下の具合を緩やかにすることができる。
【００１３】
本発明の請求項５に係る電気掃除機は、本体ケース内に集塵部、電動送風機収納部を有し、集塵部に塵挨を吸引し分離室でゴミを分離し、集塵室にゴミを収納する電気掃除機において、集塵室内のフィルターを、側面ゴミ捨て口一面のフィルターだけではなく、更に上下左右にもフィルターを配置し、フィルターの全面積を大きく構成した。
【００１４】
こうして、フィルター構成ができる上下左右の全面をフィルター構成とすることにより、フィルターの表面積を飛躍的に大きくすることができ、フィルターの目詰まりも特定場所に集中することなく分散でき、大きく軽減することができて、ゴミを吸引し続けた時の仕事率の低下の具合を緩やかにすることができる。
【００１５】
本発明の請求項６に係る電気掃除機は、本体ケース内に集塵部、電動送風機収納部を有し、集塵部に塵挨を吸引し分離室でゴミを分離し、集塵室にゴミを収納する電気掃除機において、集塵室からモーターへの流路にプリーツ状のプリーツフィルターを使用し、該プリーツフィルターにエラストマーなどの軟らかい材質のもので覆った形状となるように構成した。
【００１６】
こうして、プリーツの片側（流路の出る側）の山の間を全て軟質の樹脂で繋げてバラバラにならない状態とする。この状態により全体の形状が型崩れすることなく、プリーツのゴミが溜まっている側（流路の入る側）の谷間部分を大きく開くことが可能となり、手入れがし易くなると共に、谷間部分に付着したゴミもスムーズに落すことができる。
【００１７】
本発明の請求項７に係る電気掃除機は、本体ケース内に集塵部、電動送風機収納部を有し、集塵部に塵挨を吸引し分離室でゴミを分離し、集塵室にゴミを収納する電気掃除機において、集塵室からモーターへの流路にプリーツ状のプリーツフィルターを使用し、該プリーツフィルターにエラストマーなどの軟らかい材質のもので覆った形状となるように構成し、前記プリーツフィルターに対向して除塵ブラシを接触可能に配置し、前記集塵室を着脱する際に、集塵室内のプリーツフィルターに接触した除塵ブラシを上下に運動させることでプリーツフィルタを除塵する機構とすることにより、自動除塵を可能とするように構成した。
【００１８】
こうして、集塵部を着脱する際に集塵部内のフィルターに接触したブラシを上下に運動させることで、フイルタを除塵する機構を設けることにより自動除塵が可能となる。
【００１９】
本発明の請求項８に係る電気掃除機は、本体ケース内に集塵部、電動送風機収納部を有し、集塵部に塵挨を吸引し分離室でゴミを分離し、集塵室にゴミを収納する電気掃除機において、集塵室からモーターへの流路にプリーツ状のプリーツフィルターを使用し、該プリーツフィルターで構成している枠体が透明樹脂で形成されるように構成した。
【００２０】
こうして、ダストボックスカバーと、フィルターフィクスチャーを透明にすることで、プリーツフィルターに細塵が付着する面を目視することができる。即ち、プリーツフィルターの枠体を透明にすることで、プリーツフィルターの汚れを目視することができる。
【００２１】
本発明の請求項９に係る電気掃除機は、本体ケース内に集塵部、電動送風機収納部を有し、集塵部に塵挨を吸引し分離室でゴミを分離し、集塵室にゴミを収納する電気掃除機において、集塵室からモーターへの流路にウレタンフィルターを使用し、該ウレタンフィルターで構成される枠体を透明樹脂で形成し、該ウレタンフィルターが２色の２層または３色の３層で形成されるように構成した。
【００２２】
こうして、ウレタンフィルターの枠体を透明にすることで、ウレタンフィルターの汚れを目視することができる。しかも、細塵が少しずつウレタンフィルター内部に侵入することから、フィルターの色を変えて多層ウレタンフィルターとし、最終ウレタンフィルター層の境界線まで侵入すると、お掃除サインとすることができる。
【００２３】
本発明の請求項１０に係る電気掃除機は、本体ケース内に集塵部、電動送風機収納部を有し、集塵部に塵挨を吸引し分離室でゴミを分離し、集塵室にゴミを収納する電気掃除機において、集塵室のゴミプレス用メッシュフィルターの一部が透明樹脂で形成されるように構成した。
【００２４】
こうして、電気掃除機に用いるフィルターはウレタンフィルターの汚れ具合が目視できないことを解消するもので、ゴミプレス用メッシュフィルターの一部を透明樹脂にすることで、ウレタンフィルターの汚れを目視することができる。
【発明の効果】
【００２５】
以上のように、本発明の電気掃除機は、集塵室の内側にテフロン加工を施し、静電気による細塵の付着を抑え、また、ゴムまたはエラストマー材を集塵室を形成している樹脂部分の一部に用いることにより、ワンタッチでゴミを捨てることができて、集塵室のゴミを捨てる際の手間を大きく軽減できる。
【００２６】
電気掃除機の集塵部において、ダストボックス内のフィルターの面積を大きくし、フィルター構成ができる上下左右の全面をフィルター構成とすることにより、フィルターの表面積を飛躍的に大きくすることができ、ゴミを吸引し続けた時の仕事率の低下の具合を緩やかにすることができる。
【００２７】
プリーツフィルターのプリーツの片側（流路の出る側）の山の間を全て軟質の樹脂で繋げてバラバラにならない状態とし、手入れがし易くなると共に、ゴミもスムーズに落すことができる。また、集塵部を着脱する際に集塵部内のフィルターに接触したブラシを上下に運動させることで自動除塵が可能となる。
【００２８】
更に、プリーツフィルターの枠体を透明にすることで、プリーツフィルターの汚れを目視することができる。また、フィルターの色を変えて多層ウレタンフィルターとし、最終ウレタンフィルター層の境界線まで細塵が侵入すると、お掃除サインとすることができる。
【発明を実施するための最良の形態】
【００２９】
本発明の電気掃除機の実施形態について図を参照して説明する。図１〜図３は電気掃除機本体の一例であり、図１は本体斜視図、図２は本体側面図、図３は本体側面断面図を示す。電気掃除機は集塵部１と電動送風機収納部２から構成され、３はゴミ圧縮機能を有する集塵室、４は電動送風機である。
【００３０】
集塵部の集塵室に溜まったゴミを捨てる際に、集塵室のゴミ捨て口を下にしてゴミを捨てるのが普通である。しかし、集塵室の内側は、空気の遠心力により静電気が発生し、細塵が張り付いてしまい、ゴミ捨て口を下にするだけでは、細塵が落ちないという問題があった。そこで、本発明はゴミ捨て時の塵離れが悪いことを解決するものである。電気掃除機に用いる集塵部（以下、ダストボックスともいう。）の集塵室としては種々の形態のものが考えられるので、以下に、本発明の電気掃除機の各種の実施態様を図面に基づき説明する。
【実施例１】
【００３１】
次に、電気掃除機に用いる集塵部の実施形態を図面に基づき説明する。図４は電気掃除機本体より取り外した集塵部の斜視図、図５は集塵室の側面断面図、図６はゴミ捨て時の集塵室の側面断面図である。図において、１は集塵部（ダストボックス）、３は集塵室（ダストカップ）、４は電動送風機、５はフィルター、６はダストボックスカバー、７はフィルターフィクスチャー、８はパッキングＡ、９はパッキングＢ、１０はゴミである。
【００３２】
サイクロン方式電気掃除機の集塵部１は図５で示す構成になっている。掃除中の集塵室３内は空気が遠心力で回転しており、静電気を帯びた状態になっている。集塵室３の蓋は、ダストボックスカバー６、フィルターフィクスチャー７、パッキングＡ８、パッキングＢ９で構成されており、蓋を開けてゴミを捨てても、静電気により集塵室３の内側に付着した細塵は落ちない。そこで、集塵室３の内側にテフロン(登録商標)加工を施し、静電気による細塵の付着を抑える。
【００３３】
図６にゴミ捨て時の集塵室の側面断面図を示す。集塵室内のゴミ１０を捨てるために蓋を開けると、集塵室３の内側にテフロン加工を施し、静電気による細塵の付着を抑えているので、ワンタッチでゴミ１０を捨てることができて、集塵室のゴミを捨てる際の手間を大きく軽減できる。
【実施例２】
【００３４】
次に、電気掃除機に用いる集塵部の他の実施形態を図面に基づき説明する。図７（Ａ）は電気掃除機本体の前面断面図、図７（Ｂ）はＡ−Ａ面での側面断面図である。図８は集塵室からゴミが捨てられる様子を表わすものである。図において、１１はゴムまたは変形可能な樹脂であるエラストマー材であり、集塵室を形成している樹脂部分の一部がゴムまたはエラストマー材で形成されている。図５、図６と同一物には同じ符号を付している。
【００３５】
この実施形態の特徴は、図７、図８（Ｂ）に示すように、集塵室３を形成している樹脂部分の一部をインサート成形により加工されたゴムまたはエラストマー材１１で形成することである。ここで、集塵室に溜まったゴミ１０を捨てる状態を図８を参照して説明する。図８（Ａ）は従来の集塵室の構成図であり、集塵室３は樹脂のみで形成されている。集塵部１のゴミ捨て口を下にしてゴミを捨てることになるが、集塵室３の内側にゴミ１０が張り着いてしまい、ゴミ捨て口を下にするだけではゴミ１０が一度に落ちない。
【００３６】
これに対して、図８（Ｂ）の本発明のゴムまたはエラストマー材１１を集塵室３を形成している樹脂部分の一部に用いるものでは、ゴミ１０を捨てる際、集塵室３を横向きにしてゴミ捨て口を下にし、ゴムまたはエラストマー材１１の部分を押すことで集塵室３の内側に張り着いたゴミ１０を落とすことができ、ワンタッチでゴミ捨てをすることができる。
【実施例３】
【００３７】
サイクロン方式の電気掃除機において集塵部内のゴミを分離する際に、ゴミの分離部と、集塵室とが分割された構成の場合、集塵部入口にゴミが引っ掛かったり、また、集塵室内でゴミを圧縮する機構を付加している場合、その圧縮力により、ゴミを捨てるときに集塵室からゴミが落ちにくいという問題があった。その際に集塵部の一部をエラストマー材で形成することで、詰まったゴミを押し出す機構を付加してワンタッチでゴミ捨てをすることができた。しかし、掃除機を運転した際に、吸引力によりエラストマー部が内側に吸込まれ、集塵容量が減るという問題があった。そこで、本実施形態はかかる欠点を解消するものである。
【００３８】
次に、本発明の電気掃除機に用いる集塵部の他の実施形態について図面を参照して説明する。図９は集塵部の平面断面図であり、図９（Ａ）はエラストマーの変形がない状態での集塵部の平面断面図、図９（Ｂ）はエラストマー変形時の集塵部の平面断面図である。図１０は本実施形態の集塵部を本体に固定時の平面断面図及び側面断面図である。図において、３はゴミ圧縮機能を有した集塵室、４は電動送風機、１２は流路で形成されるゴミを分離する遠心分離機構、１３はメッシュ部、１４はバイパス流路、１５はダストフィルタ、１６は引掛け形状リブ、１７は掃除機本体のリブである。
【００３９】
本実施形態を図面に基づき説明する。図９は集塵部の平面断面図であり、吸込口４から吸い込まれたゴミは流路１２を通って集塵室３に集塵される。その際、空気はメッシュ部１３を抜けてバイパス流路１４を通り、ダストフィルター１５を通過したきれいな空気が、電動送風機のモータ（図示せず）へと流れ込む。
【００４０】
集塵部１の一部はエラストマー材１１で形成されており、それに引掛け形状リブ１６が一体となっている。図９（Ｂ）のように、エラストマー部１１は変形することができる。集塵室入口に引っ掛ったゴミや、圧縮されたゴミが集塵室に溜っている場合で捨てる際にエラストマー１１を押圧することにより、ゴミを押し出す。
【００４１】
そして集塵部１を本体に装着時には、図１０に示すように、集塵部１の引掛け形状リブ１６を掃除機本体のリブ１７に引っ掛けて固定する。このように、樹脂部品を本体の一部に引掛け固定する機構を設けることにより、掃除機を運転した際に、エラストマー部が内側に吸込まれることがないので、運転時の集塵容量を減少させないで、十分な容量を確保することができる。
【００４２】
これにより、集塵室一部のエラストマーと引掛けることのできる形状の樹脂部品を一体物とし、本体装着時にその樹脂部品を本体の一部に引掛け固定することで、運転時のエラストマーの変形を防止する。これにより、集塵容量を確保しつつ、ゴミ押し出し機構を付加することができる。
【実施例４】
【００４３】
サイクロン方式の電気掃除機などのゴミを溜めて捨てたいときに捨てることのできる集塵部をもつ電気掃除機において、ゴミを集塵室内にて圧縮させるために、集塵室からモータへの流路に圧縮用メッシュを設けていた。しかし、この圧縮用のメッシュは細かなゴミを吸込んだ際に、早い段階で目詰りを起こし、十分にゴミの圧縮を行えず仕事率の低下を来していた。そこで、本実施形態はかかる欠点を解消するものである。
【００４４】
次に、本発明の電気掃除機に用いる集塵部の他の実施形態について図１１〜図１３を参照して説明する。図１１は集塵部の前面の部分破断面図と側面断面図、図１２は集塵部内のフィルターの斜視図、図１３はフィルターと電動送風機との位置関係を示す側面断面図である。図において、図９、図１０のものと同一物には同じ符号を付している。
【００４５】
通常の電気掃除機では、フィルター１５の大きさは電動送風機４の前（吸込口）カバーしていれば十分であるが、サイクロン式掃除機の場合、フィルターの目詰まりがとても早く、ゴミを吸引し続けると十分にゴミの圧縮を行えず仕事率の低下を来していた。
【００４６】
図１３のように、フィルター１５を集塵部（ダストボックス）のとれる範囲いっぱいに面積をもたせることで、フィルター１５の表面積を大きくすることができ、フィルター１５の目詰まりを大幅に軽減することができ、ゴミを吸引し続けてた時の仕事率の低下具合を、緩やかにすることができる効果を奏する。また、電動送風機４の前（吸込口）ではない部分のフィルター部１８を有することで、フィルター１５の目詰まりを部分的にばらつかせ、仕事率の低下の具合を軽減することができる。
【００４７】
このように、電気掃除機の集塵部において、ダストボックス内のフィルターを、ダストボックスの側面ゴミ捨て口いっぱいの面積を有するフィルターにて構成することことで、フィルター目詰まりを軽減し、ゴミを吸引し続けたときの仕事率の低下の具合を緩やかにすることができる。
【実施例５】
【００４８】
次に、本発明の電気掃除機に用いる集塵部の他の実施形態について図１４、図１５を参照して説明する。図１４はフィルターと電動送風機との位置関係を示す側面断面図、図１５はフィルターと電動送風機との位置関係を示す平面断面図である。図において、１９は上部フィルター、２０は下部フィルターであり、図１３のものと同一物には同じ符号を付している。
【００４９】
この実施形態のものは上記実施例４のものの変形であり、よりフィルターの表面積を大きくすることを目的としている。図１４の側面断面図において、集塵部（ダストボックス）１内のフィルターとして、通常の一面フィルター１５に加え、該一面フィルター１５の上下に上部フィルター１９と下部フィルター２０を設ける。電動送風機４のモータにより、図１４のように、それぞれのフィルター１５、１９、２０を通るように風は矢印のような流れがある。
【００５０】
図１５の平面断面図において、集塵部１内のフィルターとして、通常の一面フィルター１７に加え、該一面フィルター１５の両端に右フィルター２１と左フィルター２２を設ける。電動送風機４のモータにより、図１５のように、それぞれのフィルター１５、２１、２２を通るように風は矢印のような流れがある。
【００５１】
このように、通常、フィルターは電動送風機４の前（吸込口）の一面をカバーしていれば十分であるが、図１４及び図１５のように、フィルター構成ができる全ての面をフィルター１５、１９、２０、２１、２２で上下左右の全面を構成することにより、フィルターの表面積を飛躍的に大きくすることができ、フィルターの目詰まりも特定場所に集中することなく分散でき、大きく軽減することができて、ゴミを吸引し続けた時の仕事率の低下の具合を緩やかにすることができる。
【実施例６】
【００５２】
電気掃除機において、細かなゴミがモーターへ流れないように、フィルターを配置することが主流となっているが、このようなフィルターは細かなゴミを捕集する度に目詰まりを起こし、やがて流路を塞ぐこととなるので、目詰まりを解消するための手入れが必要となる。そこで、このフィルターにプリーツ状のフィルターを使用する場合、その形状が山と谷の連続となるため、その手入れは面倒であった。そこで、本実施形態はかかる欠点を解消するものである。
【００５３】
次に、本発明の電気掃除機に用いるフィルターの実施形態について図１６を参照して説明する。図１６（Ａ）はプリーツフィルターの展開図、図１６（Ｂ）はプリーツフィルターの一部拡大図、図１６（Ｃ）はプリーツフィルターの拡張性を示す状態図である。図において、２３はプリーツフィルター、２４はエラストマー等の軟らかい材質である。
【００５４】
電気掃除機では、吸気流入口から集塵部に流入し、プリーツフィルタ２３を通って、きれいな空気が電動送風機へ流入するが、その際プリーツフィルター２３は、徐々に細かいゴミにより目詰まりをする。そこで、図１６（Ｂ）のように、プリーツフィルター２３をエラストマー等の軟らかい材質２４で覆った形状とする。
【００５５】
この時、エラス トマー２４はプリーツフィルター２３の空気が流れ出る側の山間の隙間を繋げるようにする。この形状により、図１６（Ｃ）のように、プリーツの谷の部分を大きく広げることが可能となり、プリーツの谷の部分に張り着いたゴミを除去する際の手入れの容易性を向上させると共に、そのまま下方向にゴミを落とすことができるという効果が得られる。
【００５６】
このように、プリーツの片側（流路の出る側）の山の間を全て軟質の樹脂で繋げてバラバラにならない状態とする。この状態により全体の形状が型崩れすることなく、プリーツのゴミが溜まっている側（流路の入る側）の谷間部分を大きく開くことが可能となり、手入れがし易くなると共に、ゴミもスムーズに落すことができる。
【実施例７】
【００５７】
電気掃除機において、細かなゴミが電動送風機のモータへ流れないように、フィルターを配置するが、フィルターの目詰まりを回復させるために手入れが必要となる。特に、フィルターにプリーツフィルターを使用する場合、フィルターの目詰まりを回復するためにブラシ等で除塵するか、または、振動を与えて除塵する等の機構を付加している。この実施形態は、自動除塵が可能な新規な手段を提案するものである。
【００５８】
次に、本発明の電気掃除機に用いるフィルターの他の実施形態について図１７〜図２０を参照して説明する。図１７は本発明のフィルターを装着した電気掃除機本体の側面断面図、図１８は掃除機本体から取り外し時のプリーツフィルター、図１９はプリーツフィルターに除塵ブラシを装着時の正面図、図２０は装着時のプリーツフィルターである。２３はプリーツフィルター、２５は除塵ブラシ、２６は軸、２７は係合爪である。
【００５９】
プリーツフィルターに除塵ブラシを装着時の状態は、図１９に示すように、プリーツフィルター２３に対向して除塵ブラシ２５を接触可能に配置されている。集塵部内のプリーツフィルター２３に接触した状態で除塵ブラシ２５を上下に運動させることで、プリーツフィルタ２３を除塵する機構を構成している。
【００６０】
図１７において、掃除機本体に集塵部１が装着されている状態（図１８（Ａ））から、集塵部１を掃除機本体から上方向に取り外す際に、プリーツフィルター２３の上部に固定されている除塵ブラシ２５と連結した軸２６が、掃除機本体の底面と接続している係合爪２７に引っ掛かかり、除塵ブラシ２５がプリーツフィルター２３の下部まで動き（図１８（Ｂ））、溜まったゴミを除塵する。その後、力を加えることで軸２６が掃除機本体から外れ（図１８（Ｃ））、集塵部１を取り外すことができる。
【００６１】
集塵部１を掃除機本体に装着する際は、前記軸２６が掃除機本体に接続された係合２７に接触し（図２０（Ａ））、除塵ブラシ２５がプリーツフィルター２３の下部から上部まで動き（図２０（Ｂ））、力を入れることで、軸２６が係合爪２７に係合し、掃除機本体に集塵部１が固定される（図２０（Ｃ））。こうして、集塵部の着脱時に自動除塵が可能となる。
【００６２】
このように、集塵部を着脱する際に集塵部内のフィルターに接触したブラシを上下に運動させることで、フイルタを除塵する機構を設けることにより自動除塵が可能となる。
【実施例８】
【００６３】
電気掃除機の集塵部のプリーツフィルターで、細塵の本体流出を防止している場合、プリーツフィルターの枠体は、不透明樹脂で形成されていて、しかも、集塵部には、ゴミプレス用メッシュフィルターで覆われており、プリーツフィルターがどこにあるのか判かりにくく、また、ブリーツフィルターの汚れ具合も目視できない。そのため、プリーツフィルターが目詰まり状態でも掃除機を使用することになり、一種の低負荷状態となって過速状態となり、掃除機本体の温度上昇、モータの異常・異音の原因となっていた。そこで、この実施形態は前記のプリーツフィルターの汚れ具合が目視できるようにして、かかる欠点を解消するものである。
【００６４】
次に、本発明の電気掃除機に用いるフィルターの他の実施形態について図２１の集塵部の側面断面図を参照して説明する。図において、６はダストボックスカバー、７は透明のフィルターフィクスチャー、２３はプリーツフィルター、２８はプリーツフィルター２３に細塵が付着する面、２９はゴミプレス用メッシュフィルターである。
【００６５】
プリーツフィルター２３の枠体は、ダストボックスカバー６と、フィルターフィクスチャー７で構成されている。ブリーツフィルター２３に細塵が付着する面２８は、ゴミプレス用メッシュフィルター２９に覆われて目視ができない。そこで、ダストボックスカバー６と、フィルターフィクスチャー７を透明にすることで、プリーツフィルター２３に細塵が付着する面２８を目視することができる。こうして、プリーツフィルター２３の枠体を透明にすることで、プリーツフィルターの汚れを目視することができる。
【実施例９】
【００６６】
電気掃除機の集塵部のウレタンフィルターで、細塵の掃除機本体の外への流出を防止している場合、ウレタンフィルターの枠体は、不透明樹脂で形成されていて、しかも、集塵部には、ゴミプレス用メッシュフィルターで覆われており、ウレタンフィルターがどこにあるのか判りにくく、ウレタンフィルターの汚れ具合も目視できない。そのため、ウレタンフィルターが目詰まり状態でも掃除機を使用することになり、一種の低負荷状態となって過速状態となり、掃除機本体の温度上昇、モータの異常・異音の原因となっていた。そこで、この実施形態は前記のウレタンフィルターの汚れ具合が目視できるようにして、かかる欠点を解消するものである。
【００６７】
次に、本発明の電気掃除機に用いるフィルターの他の実施形態について図２２の集塵部の側面断面図を参照して説明する。図において、６はダストボックスカバー、７は透明のフィルターフィクスチャー、２８はウレタンフィルターに細塵が付着する面、２９はゴミプレス用メッシュフィルターである。
【００６８】
図２２において、ウレタンフィルター（青）３０、ウレタンフィルター（黄）３１、ウレタンフィルター（赤）３２の枠体は、ダストボックスカバー６とフィルターフィクスチャー７で構成されている。
【００６９】
ウレタンフィルター（青）３０に細塵が付着する面２８は、ゴミプレス用メッシュフィルター２９に覆われて目視ができない。ダストボックスカバー６とフィルターフィクスチャー７を透明にすることで、ウレタンフィルター（青）３０に細塵が付着する面２８を目視することができる。
【００７０】
しかも、細塵が少しずつウレタンフィルター内部に侵入することから、細塵がウレタンフィルター（黄）３１とウレタンフィルター（赤）３２の境界線をお掃除サインとし、色が異なるウレタンフィルターの側面を目視で簡単に確認することができる。ここで、ウレタンフィルターを２色の２層または３色の３層で形成することができる。
【００７１】
このように、ウレタンフィルターの枠体を透明にすることで、ウレタンフィルターの汚れを目視することができる。しかも、細塵が少しずつウレタンフィルター内部に侵入することから、フィルターの色を変えて多層ウレタンフィルターとし、最終ウレタンフィルター層の境界線まで侵入すると、お掃除サインとすることができる。
【実施例１０】
【００７２】
例えば、図２３の集塵部の側面断面図に示すように、細塵の掃除機本体の外への流出を防止するための電気掃除機の集塵部のウレタンフィルター、プリーツフィルター２３等がゴミプレス用メッシュフィルターで覆われている場合、プリーツフィルター２３の枠体は、ダストボックスカバー６と、フィルターフィクスチャー７で構成されている。
【００７３】
そして、図２４の従来のフィルターにおいて、図２４（Ａ）はフィルターの側面断面図、図２４（Ｂ）はフィルターの平面図に示すように、ウレタンフィルター又はブリーツフィルター２３に細塵が付着する面２８は、ゴミプレス用メッシュフィルター２９に覆われて目視ができず、ウレタンフィルタープリーツフィルター等がどこにあるのか判りにくく、フィルターの汚れ具合も目視できなかった。
【００７４】
そのため、フィルターが目詰まり状態でも掃除機を使用することになり、一種の低負荷状態となって過速状態となり、掃除機本体の温度上昇、モータの異常・異音の原因となっていた。そこで、この実施形態は前記のウレタンフィルターの汚れ具合が目視できるようにして、かかる欠点を解消するものである。
【００７５】
次に、本発明の電気掃除機に用いるフィルターの他の実施形態について図２５を参照して説明する。図２５はフィルターの詳細図であり、図２５（Ａ）はフィルターの側面断面図、図２５（Ｂ）はフィルターの平面図である。
【００７６】
本発明の電気掃除機に用いるフィルターは、図２５において、ゴミプレス用メッシユフィルター２９の一部を透明樹脂３３で形成することで、この透明樹脂３３を介してウレタンフィルターに細塵が付着する面２８を目視することができるようにした。
【００７７】
このように、電気掃除機に用いるフィルターはウレタンフィルターの汚れ具合が目視できないことを解消するもので、ゴミプレス用メッシュフィルターの一部を透明樹脂にすることで、ウレタンフィルターの汚れを目視することができる。
【図面の簡単な説明】
【００７８】
【図１】電気掃除機の本体斜視図。
【図２】電気掃除機の本体側面図。
【図３】電気掃除機の本体側面断面図。
【図４】本発明の集塵部の斜視図。
【図５】本発明の集塵部の側面断面図。
【図６】本発明のゴミ捨て時の集塵部の側面断面図。
【図７】本発明の電気掃除機本体の前面断面図と側面断面図。
【図８】集塵室からゴミが捨てられる状態図。
【図９】本発明の集塵部の平面断面図。
【図１０】本発明の集塵部を本体に固定時の平面断面図及び側面断面図。
【図１１】図１１は集塵部の前面の部分破断面図と側面断面図。
【図１２】集塵部内のフィルターの斜視図。
【図１３】フィルターと電動送風機との位置関係を示す側面断面図。
【図１４】フィルターと電動送風機との位置関係を示す側面断面図。
【図１５】フィルターと電動送風機との位置関係を示す平面断面図。
【図１６】本発明のプリーツフィルターの展開図。
【図１７】本発明のフィルターを装着した電気掃除機本体の側面断面図。
【図１８】取り外し時のプリーツフィルター。
【図１９】プリーツフィルターに除塵ブラシを装着時の正面図。
【図２０】装着時のプリーツフィルター。
【図２１】集塵部の側面断面図。
【図２２】集塵部の側面断面図。
【図２３】集塵部の側面断面図。
【図２４】従来のフィルターの詳細図。
【図２５】本発明のフィルターの詳細図。
【符号の説明】
【００７９】
１                集塵部（ダストボックス）
２                電動送風機収納部
３                集塵室（ダストカップ）
４                電動送風機
５                フィルター
６                ダストボックスカバー
７                フィルターフィクスチャー
８                パッキングＡ
９                パッキングＢ
１０              ゴミ
１１              エラストマー材
１２              遠心分離機構
１３              メッシュ部
１４              バイパス流路
１５              ダストフィルター
１６              引掛け形状リブ
１７              掃除機本体のリブ
１９              上部フィルター
２０              下部フィルター
２１              右フィルター
２２              左フィルター
２３              プリーツフィルター
２４              軟かい材質
２５              除塵ブラシ
２６              軸
２７              係合爪
２８              細塵が付着する面
２９              ゴミプレス用メッシュフィルター
３０、３１、３２  ウレタンフィルター
３３              透明樹脂
【図１】
2005237860.tif 000003
【図２】
2005237860.tif 000004
【図３】
2005237860.tif 000005
【図４】
2005237860.tif 000006
【図５】
2005237860.tif 000007
【図６】
2005237860.tif 000008
【図７】
2005237860.tif 000009
【図８】
2005237860.tif 000010
【図９】
2005237860.tif 000011
【図１０】
2005237860.tif 000012
【図１１】
2005237860.tif 000013
【図１２】
2005237860.tif 000014
【図１３】
2005237860.tif 000015
【図１４】
2005237860.tif 000016
【図１５】
2005237860.tif 000017
【図１６】
2005237860.tif 000018
【図１７】
2005237860.tif 000019
【図１８】
2005237860.tif 000020
【図１９】
2005237860.tif 000021
【図２０】
2005237860.tif 000022
【図２１】
2005237860.tif 000023
【図２２】
2005237860.tif 000024
【図２３】
2005237860.tif 000025
【図２４】
2005237860.tif 000026
【図２５】
2005237860.tif 000027